(57)【要約】【課題】コンクリート構造物を構築する際に、仮設のマンホールやハンドホール等の計画的欠損部を設けておき、完成時にはこの部分にコンクリートを打設して修復する方法において、修復のために後から打ち足したコンクリートが欠け落ちるのを防止する。【解決手段】床版等のコンクリートを打設するための型枠１上に、開口を設ける範囲と対応する大きさの板状の型枠補助材３を載置し、この上に開口部の大きさより広い範囲に網状体４を敷設する。そして、上記網状体を型枠補助材との間に挟み込むように箱抜き型枠２を設置し、この外側にコンクリート５を打設する。コンクリートの硬化後、箱抜き型枠２及び型枠補助材３を撤去するとともに、網状体４を切り裂いて、開口部を使用する。構造物を完成するときには、開口部の底部に型枠を設置し、網状体をこの型枠に沿った位置に戻してコンクリート打設し、網状体を床版等の下面近くに埋め込む。【選択図】    図１
2004332473.tif 000002
【特許請求の範囲】
【請求項１】
コンクリート構造物の下側面の型枠を形成し、
該型枠上の、計画的欠損部を設ける領域より広い範囲に網状体を敷設し、
該網状体の上に、前記計画的欠損部を形成するための箱抜き型枠を設置して構造物のコンクリートを打設し、
該コンクリートが硬化した後、前記構造物の下面の型枠を撤去し、
前記計画的欠損部の型枠を撤去するとともに、前記網状体の中央部分を切り裂いて該計画的欠損部を下側に開放し、
該計画的欠損部を使用した後、該欠損部の下側に修復用の底部型枠を設置するとともに、切り裂いた前記網状体を該底部型枠に沿って敷き戻し、
前記計画的欠損部内にコンクリート又はモルタルを充填し、硬化させることを特徴とする計画的欠損部の形成及び修復方法。
【請求項２】
該構造物の下側に開口する計画的欠損部の平面形状に対応した所定厚さの板状の型枠補助材を、該構造物の下側の型枠と前記網状体との間に介挿することを特徴とする請求項１に記載の計画的欠損部の形成及び修復方法。
【請求項３】
前記網状体は、ガラス繊維、炭素繊維、合成樹脂繊維の少なくとも一つを含む非金属繊維糸を用いたものであることを特徴とする請求項１に記載の計画的欠損部の形成及び修復方法。
【請求項４】
前記網状体は、多数の粒状体が接着されたものを用いることを特徴とする請求項１に記載の計画的欠損部の形成及び修復方法。
【発明の詳細な説明】
【０００１】
【発明の属する技術分野】
本願発明は、コンクリート構造物を構築する際に、仮設のマンホールやハンドホール等の計画的欠損部を設けておき、完成時にはこの部分にコンクリートを打設して修復する、計画的欠損部の形成及び修復方法に関する。
【０００２】
【従来の技術】
コンクリート橋梁、高架橋、建築物のコンクリート床版等を構築する際に、作業者の移動のために仮設のマンホールを設けたり、設備の据え付け等のために仮設のハンドホールを設けることがある。また、仮設材を配置するために仮の開口部を設けることや、配管等の設備を埋め込むために凹部をあらかじめ設けておくこともある。このような貫通孔や凹部は、構造物のコンクリートを打設するときに、箱抜き用の型枠を設置しておき、未硬化コンクリートを打設するときに、この部分にコンクリートが流れ込まないようにして形成される。そして、このような貫通孔や凹部を利用した後、コンクリート構造物を完成する時には、この欠損部にコンクリートを埋め込むように打設して修復される。
【０００３】
【発明が解決しようとする課題】
しかしながら、上記のような計画的欠損部を設け、完成時にコンクリート埋め戻したときには、次のような問題点が発生するおそれがある。
計画的欠損部にコンクリートを打設して修復した場合には、先に打設された周囲のコンクリートとの付着力が充分でないと、この部分でコンクリートの一体性が損なわれ、修復したコンクリートが脱落する可能性が懸念される。一般に、計画的欠損部と周囲のコンクリートの間に連続して鉄筋が配置される場合には、欠損部全体のコンクリートが脱落することは考えられないが、図１３に示すようにコンクリート部材１０１の下側の表面近くに配置された鉄筋１０２より表面側のかぶり部分のコンクリート１０３が、先に打設したコンクリート１０４との接合面１０５付近で剥落する可能性はある。特に、車輌の通行等によって継続的に振動が生じる構造物等においては、コンクリート片の脱落について充分な配慮が必要となる。
【０００４】
本願発明は、上記のような事情に鑑みてなされたものであり、その目的は、コンクリート構造物の構築時に計画的欠損部を形成し、完成させる時にはこれを修復する方法であって、構造物の完成後にコンクリート片の剥落を防止することができる方法を提供することである。
【０００５】
【課題を解決するための手段】
上記課題を解決するために、請求項１に係る発明は、  コンクリート構造物の構築時における計画的欠損部の形成及び修復方法であって、コンクリート構造物の下側面の型枠を形成し、  該型枠上の、計画的欠損部を設ける領域より広い範囲に網状体を敷設し、  該網状体の上に、前記計画的欠損部を形成するための箱抜き型枠を設置して構造物のコンクリートを打設し、  該コンクリートが硬化した後、前記構造物の下面の型枠を撤去し、  前記計画的欠損部の型枠を撤去するとともに、前記網状体の中央部分を切り裂いて該計画的欠損部を下側に開放し、
該計画的欠損部を使用した後、該欠損部の下側に修復用の底部型枠を設置するとともに、切り裂いた前記網状体を該底部型枠に沿って敷き戻し、  前記計画的欠損部内にコンクリート又はモルタルを充填し、硬化させることを特徴とする方法を提供する。
【０００６】
この方法では、構造物のコンクリートを打設するときに、構造物の表面近くに網状体が配置されており、欠損部を修復するコンクリートはこの網状体を埋め込むように打設される。したがって、網状体は先に打設した構造物のコンクリートと修復のために後から打ち足したコンクリートとに連続して埋め込まれ、双方のコンクリートの接合部付近でひび割れが生じてもコンクリート片が剥落することはなく、網状体によって保持される。また、網状体は、欠損部の全域にわたって配置されても、中央部を切り裂いて欠損部をマンホールやハンドホールとして使用することができ、構築時の作業に支障は生じない。
【０００７】
請求項２に係る発明は、請求項１に記載の方法において、  該構造物の下側に開口する計画的欠損部の平面形状に対応した所定厚さの板状の型枠補助材を、該構造物の下側の型枠と前記網状体との間に介挿するものとする。
【０００８】
この方法では、構造物のコンクリートを打設するときに、網状体が型枠補助材の厚さ分だけ、コンクリート表面から内側に配置される。したがって、コンクリート構造物の表面に網状体が露出して外観を損なうことがない。また、表面に露出した網状体が構造物の完成後大気に長期間さらされることによる劣化等を抑制することができる。なお、型枠補助材は、構造物のコンクリート打設後、下側の型枠を撤去する時と同時に、又は下側の型枠を撤去した後に取り外すことができる。
【０００９】
請求項３に係る発明は、請求項１に記載の方法において、前記網状体は、ガラス繊維、炭素繊維、合成樹脂繊維の少なくとも一つを含む非金属繊維糸を用いたものとする。
【００１０】
ガラス繊維、炭素繊維、合成繊維等の非金属繊維は腐食することがなく、コンクリートの表面近くに配置されても充分な耐久性を有する。したがって、コンクリート片の剥落を防止する効果が長い期間にわたって持続される。また、コンクリート内に埋め込むことによって、紫外線による劣化等も防止される。
一方、構造物のコンクリートを打設した後、欠損部を開口等として用いる時に、中央部を容易に切断して周縁部に柔軟に曲げることができ、中央部を容易に開放することができる。
【００１１】
請求項４に係る発明は、請求項１に記載の方法において、  前記網状体は、多数の粒状体が接着されたものを用いるものとする。
【００１２】
多数の粒状体が接着された網状体は、構造物のコンクリートを打設するための型枠の上に直接に敷設したときに、網状体が粒状体の粒径分だけ型枠面の内側に配置される。したがって、網状体をコンクリート内に埋め込むことができ、粒状体は表面に現れるが砂、礫、セラミック粒等の鉱物質のものを用いることによってコンクリートと一体となり、腐食のおそれもない。また、欠損部を使用した後、この部分にコンクリートを打ち足して修復するときにも、欠損部の型枠面に沿って網状体を接触するように保持してコンクリートを打設しても網状体が露出することはなく、良好な外観に修復することができる。
【００１３】
【発明の実施の形態】
以下、本願に係る発明の実施の形態を図に基づいて説明する。
図１から図５までは、本願発明の一実施形態である計画的欠損部の形成及び修復方法を示す概略断面図である。
この方法は、コンクリート床版に構造物を構築する間の便宜のために開口部を設け、完成時にはコンクリートを打ち足して開口部を塞ぎ、連続したコンクリート床版とするものである。
【００１４】
この方法では、まず床版の下側の型枠１を形成するとともに、開口部を設ける部分に箱抜き型枠２を設ける。この時開口部分の底部には、図１に示すように下側の型枠１上に重ねて板状の型枠補助材３を配置しておく。そして、この型枠補助材３の上に網状体４を敷設する。この網状体４は、例えばアラミド繊維を網状に織ったものを用いることができる。この他ガラス繊維、炭素繊維を織ったもの、ステンレススチールの網等を用いることができるが、腐食に対して耐久性を有するものがよい。この網状体４は、開口部分の範囲から周囲に張り出して敷設され、箱抜き型枠２は型枠補助材３の周縁部上で、上記網状体４を型枠補助材３との間に挟むように立ち上げられる。
【００１５】
上記のように型枠１，２の設置及び網状体４の敷設が終了すると、図２に示すように箱抜き型枠２の外側にコンクリートを打設し、コンクリート床版５を形成する。コンクリートが硬化すると、箱抜き型枠２は上方に取り外すことができ、床版の下側の型枠１は下方へ撤去することができる。そして、型枠補助材３は下側の型枠１とともに、又は下側の型枠１を撤去した後に取り外すことができる。
【００１６】
型枠１，２を撤去すると、図３に示すようにコンクリート床版５に開口部６が形成され、この開口部６を塞ぐように網状体４が張設された状態となる。図６は、開口部分の平面図であり、この図に示すように開口部６内で網状体４を対角線方向に切り裂く。そして、図４に示すように切り裂いた網状体４を開口部６の内側面に沿った位置に曲げ上げ、開口部６を貫通させる。この状態で使用目的に沿った開口部の使用が可能となる。
【００１７】
開口部６を使用して目的を達成した後、この開口部６を修復する作業は、まず開口部６の下側から底部型枠７を設置する。曲げ上げていた網状体４は、図５に示すように水平に戻し、底部型枠７上で該型枠と所定間隔を保持した位置に固定する。そして、この上に開口部６を埋めるコンクリート８を打設し、硬化させる。
【００１８】
後から打ち足したコンクリート８が硬化した後、底部型枠７を撤去することにより、コンクリート床版５は、開口部６が設けられていた部分で連続し、上下面が平坦に仕上げられる。
【００１９】
このように修復されたコンクリート床版５では、図７に示すように、開口部６に打ち足したコンクリート８とはじめに打設した床版コンクリートとの間に連続して網状体４が埋め込まれており、双方のコンクリートの境界付近でひび割れ９が生じても、コンクリート片８ａは欠け落ちることなく保持される。したがって、コンクリート片が落下することによる危険を回避することができる。また、網状体４は、型枠補助材のほぼ厚さ分だけコンクリート床版の下面より内側に配置され、表面に露出することなく良好な外観とすることができるとともに、網状体４が外気に曝されることによる劣化を防止することができる。
【００２０】
なお、上記方法では、開口部６を使用した後、網状体４を底部型枠７上でほぼ水平に戻した後、そのままコンクリートを打設したが、図８に示すように、開口部６の大きさとほぼ同じかやや小さいサイズの網状体１０を準備し、これを曲げ戻した網状体４に重ねて配置し、この上にコンクリートを打設してもよい。これにより、開口部６の中央付近でも網状体１０が連続したものとなり、開口部６に打設したコンクリート８の収縮ひび割れ等を抑制することができる。
【００２１】
また、上記方法は、コンクリート床版５に開口部６を設けたが、床版の下側に凹部を設ける場合には、図９に示すように、箱抜き型枠１１は上側蓋部１１ａを有するものとし、この箱抜き型枠１１を埋め込むように床版のコンクリートを打設すればよい。さらに、床版に配置される鉄筋１２は、箱抜き型枠１１に鉄筋１２を貫通させるための小孔１１ｂを設けておき、これに鉄筋を挿通して所定の位置に配置する。
【００２２】
床版のコンクリートが硬化し、凹部１３を使用するときには、鉄筋１２及び網状体４を下側に曲げ、凹部１３の下側を開放してこの凹部１３内での作業又は埋設物の設置等を行うことができる。この凹部１３の埋め戻しは、貫通する開口部を修復するときと同様に網状体４をほぼ水平に曲げ戻し、底部型枠を設置する。そして、凹部の埋め戻しは、モルタル等を下側から注入する等の方法を採用する。
【００２３】
図１０は、請求項４に係る発明の一実施形態を示す概略断面図である。
この方法では、床版の下側の型枠２１を形成したのち、この上に網状体２４を直接に敷設する。この網状体２４は、図１に示す実施形態と同様に開口部２６を設ける範囲より広い範囲に敷設する。そして、箱抜き型枠２２は下側の型枠２１との間に上記網状体２４を挟み込むように設置する。
【００２４】
この実施形態で用いられる網状体２４は、図１１に示すように、多数のアラミド繊維を結着樹脂で紐状に束ねた糸２４ａを網状に織り、これに多数の砂の粒子２４ｂを接着剤で付着したものである。網状体２４は、糸２４ａを互いに６０度の角度となるように３方向に配列して織ったものを用いているが、これに限らず、充分な強度を有するものであれば他の織り方のもの、もしくはガラス繊維や炭素繊維等の他の繊維を用いるもの等を用いることもできる。また、砂の粒子２４ｂは粒径が１ｍｍから３ｍｍ程度のものが望ましいが、糸２４ａに接着することができる範囲であれば、これより大きい粒径のものを用いることもできる。接着剤は、エポキシ樹脂等を用いることができる。
【００２５】
上記のように、床版の下側の型枠２１、網状体２４及び箱抜き型枠２２が設置されると、箱抜き型枠の外側にコンクリート２５を打設し、硬化した後、下側の型枠２１及び箱抜き型枠２２を撤去する。この後は、図１から図６までに示す実施形態と同様に、網状体２４を切り裂いて開口部２６を使用し、使用後は開口部２６の底部型枠を設けてコンクリート打設することにより、この開口部２６を修復して連続した床版とすることができる。
【００２６】
このような方法では、砂の粒子２４ｂが接着された網状体２４を用いるので、下側の型枠２１上に網状体２４を直接に敷設しても、砂の粒子２４ｂの粒径分だけ網状体２４の繊維がコンクリート表面の内側に配置されることになる。したがって、コンクリートを打設したときに、図１２に示すように網状体２４が表面に露出せず、砂の粒子２４ｂはコンクリート２８と一体となって表面は良好な仕上がりとなる。また、網状体２４はコンクリートにしっかりと埋め込まれることになり、網状体２４が剥離するようなこともない。
【００２７】
【発明の効果】
以上説明したように、本願に係る発明の方法では、計画的に設けられた欠損部分にコンクリートを打ち足して修復したときに、先に打設されたコンクリートと後から打ち足したコンクリートとの双方にわたって、表面近くに網状体が埋め込まれることになる。したがって、双方のコンクリートの接合部付近等でコンクリートにひび割れを生じても、コンクリート片が欠け落ちることはなく、構造物の下にコンクリート片が落下する危険を取り除くことができる。
【図面の簡単な説明】
【図１】本願に係る発明の一実施形態である、計画的欠損部の形成及び修復方法の一工程を示す概略断面図である。
【図２】本願に係る発明の一実施形態である、計画的欠損部の形成及び修復方法の一工程を示す概略断面図である。
【図３】本願に係る発明の一実施形態である、計画的欠損部の形成及び修復方法の一工程を示す概略断面図である。
【図４】本願に係る発明の一実施形態である、計画的欠損部の形成及び修復方法の一工程を示す概略断面図である。
【図５】本願に係る発明の一実施形態である、計画的欠損部の形成及び修復方法の一工程を示す概略断面図である。
【図６】図３に示す工程で、網状体を切り裂いた状態を示す概略平面図である。
【図７】本願発明に係る方法で形成されたコンクリート床版の概略断面図である。
【図８】本願発明の方法で付加することができる任意的な工程を示す概略断面図である。
【図９】本願発明の方法で形成することができる欠損部の他の例を示す概略断面図である。
【図１０】本願に係る発明の他の実施形態である、計画的欠損部の形成及び修復方法の一工程を示す概略断面図である。
【図１１】図１０に示す方法で使用することができる網状体の一例を示す平面図である。
【図１２】図１１に示す網状体がコンクリート中に埋め込まれた状態を示す概略断面図である。
【図１３】本願発明が解決しようとする課題を説明するための図であって、従来から一般に構築されているコンクリート床版の概略断面図である。
【符号の説明】
１，２１    下側の型枠
２，２２    箱抜き型枠
３    型枠補助材
４，２４    網状体
５，２５    コンクリート床版
６，２６    開口部
７    底部型枠
８    開口部を埋めるコンクリート
９    ひび割れ
１０    追加配置する網状体
１１    箱抜き型枠
１２    鉄筋
１３    凹部
２７    鉄筋
２８    コンクリート
【図１】
2004332473.tif 000003
【図２】
2004332473.tif 000004
【図３】
2004332473.tif 000005
【図４】
2004332473.tif 000006
【図５】
2004332473.tif 000007
【図６】
2004332473.tif 000008
【図７】
2004332473.tif 000009
【図８】
2004332473.tif 000010
【図９】
2004332473.tif 000011
【図１０】
2004332473.tif 000012
【図１１】
2004332473.tif 000013
【図１２】
2004332473.tif 000014
【図１３】
2004332473.tif 000015